(57)【要約】【課題】燃料電池システムの寿命判定の精度を高める。【解決手段】 燃料電池システムは、改質ガスと酸化剤ガスとに基づいて発電可能な燃料電池と、改質水を用いて原燃料ガスを改質ガスに改質して燃料電池へ供給する改質部と、原燃料ガスを前記改質部に供給する原燃料ガス供給装置と、改質水を改質部に供給する改質水供給装置と、燃料電池が要求電力により発電するよう燃料電池の電流指令を設定し、設定した電流指令に基づいて原燃料ガス供給装置と改質水供給装置とを制御する制御装置と、を備える。制御装置は、燃料電池の出力電流を積算し、出力電流の積算値が閾値に達すると、寿命と判定する。【選択図】図２
2019029246.tif 000002
【特許請求の範囲】
【請求項１】
改質ガスと酸化剤ガスとに基づいて発電可能な燃料電池を備える燃料電池システムであって、
改質水を用いて原燃料ガスを前記改質ガスに改質して前記燃料電池へ供給する改質部と、
前記原燃料ガスを前記改質部に供給する原燃料ガス供給装置と、
前記改質水を前記改質部に供給する改質水供給装置と、
前記燃料電池が要求電力により発電するよう該燃料電池の電流指令を設定し、該設定した電流指令に基づいて前記原燃料ガス供給装置と前記改質水供給装置とを制御する制御装置と、
を備え、
前記制御装置は、前記燃料電池の出力電流を積算し、前記出力電流の積算値が閾値に達すると、寿命と判定する、
燃料電池システム。
【請求項２】
請求項１に記載の燃料電池システムであって、
前記制御装置は、システム起動時において前記原燃料ガス供給装置により供給される原燃料ガスの流量を前記出力電流に換算して該出力電流を積算する、
燃料電池システム。
【請求項３】
請求項１または２に記載の燃料電池システムであって、
前記制御装置は、システム停止時において前記原燃料ガス供給装置により供給される原燃料ガスの流量を前記出力電流に換算して該出力電流を積算する、
燃料電池システム。
【請求項４】
請求項１ないし３いずれか１項に記載の燃料電池システムであって、
前記原燃料ガス供給装置における原燃料ガスの供給流路に設けられ、前記原燃料ガスに含まれる硫黄分を除去する脱硫器を備える、
燃料電池システム。
【請求項５】
請求項１ないし４いずれか１項に記載の燃料電池システムであって、
前記改質水供給装置により前記改質部に供給される改質水を蓄える水タンクと、
前記燃料電池を通過した改質ガスを燃焼させる燃焼部と、
前記改質ガスの燃焼により生成された燃焼排気ガスの冷却により生成された凝縮水を前記水タンクに供給する凝縮水流路と、
前記凝縮水流路に設けられ、前記凝縮水を精製する水精製器と、
を備える燃料電池システム。
【発明の詳細な説明】
【技術分野】
【０００１】
本発明は、燃料電池システムに関する。
【背景技術】
【０００２】
従来、この種の燃料電池システムとしては、システムの寿命を判定するものが知られている。例えば、特許文献１には、燃料電池ユニットの累積発電時間、累積発電量および累積通電時間の少なくとも一つの値が予め定められる閾値を超えると、寿命に達したと判断して燃料電池ユニットを停止するものが開示されている。また、特許文献２には、燃料電池本体の累積運転時間が予め設定された第１の所定の値に達すると、燃料電池システムを停止し、燃料電池本体の累積運転回数が予め設定された第２の所定の値に達すると、燃料電池システムを次回起動させないようにするものが開示されている。
【先行技術文献】
【特許文献】
【０００３】
【特許文献１】特開２０１４−７２１６３号公報
【特許文献２】特開２００５−６３９０３号公報
【発明の概要】
【発明が解決しようとする課題】
【０００４】
燃料電池スタックの発電量によって劣化速度が異なるシステムにおいては、上述した累積発電時間や累積通電時間、累積運転時間、累積運転回数によってシステムの寿命を判定すると、運転の仕方によって大きな誤差が生じてしまう。一方、累積発電量によってシステムの寿命を判定すると、発電量の変化に起因する誤差を少なくすることはできるが、システムの経年使用に伴って燃料電池スタックの出力電圧が変化すると、同じ発電量を得るために必要な出力電流が変化し、原燃料ガスの流量や改質水の流量も変化するため、これらの流量によって劣化速度が異なる場合には、正確な寿命判定を行なうことは困難である。
【０００５】
本発明の燃料電池システムは、寿命判定の精度を高めることを主目的とする。
【課題を解決するための手段】
【０００６】
本発明の燃料電池システムは、上述の主目的を達成するために以下の手段を採った。
【０００７】
本発明の燃料電池システムは、
改質ガスと酸化剤ガスとに基づいて発電可能な燃料電池を備える燃料電池システムであって、
改質水を用いて原燃料ガスを前記改質ガスに改質して前記燃料電池へ供給する改質部と、
前記原燃料ガスを前記改質部に供給する原燃料ガス供給装置と、
前記改質水を前記改質部に供給する改質水供給装置と、
前記燃料電池が要求電力により発電するよう該燃料電池の電流指令を設定し、該設定した電流指令に基づいて前記原燃料ガス供給装置と前記改質水供給装置とを制御する制御装置と、
を備え、
前記制御装置は、前記燃料電池の出力電流を積算し、前記出力電流の積算値が閾値に達すると、寿命と判定する、
ことを要旨とする。
【０００８】
この本発明の燃料電池システムは、燃料電池が要求電力により発電するよう燃料電池の電流指令を設定し、設定した電流指令に基づいて原燃料ガス供給装置と改質水供給装置とを制御するものにおいて、燃料電池の出力電流を積算し、出力電流の積算値が閾値に達すると、寿命と判定する。これにより、原燃料ガスの流量や改質水の流量によって劣化速度が変化するシステムにおいて、寿命判定を適切に行なうことができる。また、燃料電池システムの経年使用により燃料電池が要求電力で発電するのに必要な出力電流が変化するものとしても、その電流変化を寿命判定に反映させることができるから、寿命判定の精度を高めることができる。なお、燃料電池システムが寿命に達したと判定すると、システムの運転を停止させたり、次回起動させないようにしたりすることができる。
【０００９】
こうした本発明の燃料電池システムにおいて、前記制御装置は、システム起動時において前記原燃料ガス供給装置により供給される原燃料ガスの流量を前記出力電流に換算して該出力電流を積算するものとしてもよい。システム起動時に供給される原燃料ガスの流量も考慮して燃料電池システムの寿命判定を行なうことにより、寿命判定の精度をより高めることができる。
【００１０】
また、本発明の燃料電池システムにおいて、前記制御装置は、システム停止時において前記原燃料ガス供給装置により供給される原燃料ガスの流量を前記出力電流に換算して該出力電流を積算するものとしてもよい。システム停止時に供給される原燃料ガスの流量も考慮して燃料電池システムの寿命判定を行なうことにより、寿命判定の精度をさらに高めることができる。
【００１１】
さらに、本発明の燃料電池システムにおいて、前記原燃料ガス供給装置における原燃料ガスの供給流路に設けられ、前記原燃料ガスに含まれる硫黄分を除去する脱硫器を備えるものとしてもよい。脱硫器が寿命の律速となる場合、燃料電池システムの寿命判定を適切に行なうことができる。
【００１２】
また、本発明の燃料電池システムにおいて、前記改質水供給装置により前記改質部に供給される改質水を蓄える水タンクと、前記燃料電池を通過した改質ガスを燃焼させる燃焼部と、前記改質ガスの燃焼により生成された燃焼排気ガスの冷却により生成された凝縮水を前記水タンクに供給する凝縮水流路と、前記凝縮水流路に設けられ、前記凝縮水を精製する水精製器と、を備えるものとしてもよい。水精製器が寿命の律速となる場合、燃料電池システムの寿命判定を適切に行なうことができる。
【図面の簡単な説明】
【００１３】
【図１】本実施形態の燃料電池システム１０の構成の概略を示す構成図である。
【図２】寿命判定ルーチンの一例を示すフローチャートである。
【図３】スタック電流積算処理の一例を示すフローチャートである。
【図４】ガス流量Ｑｇとスタック電流Ｉの換算値との関係を示す説明図である。
【発明を実施するための形態】
【００１４】
本発明を実施するための形態について説明する。
【００１５】
図１は本実施形態の燃料電池システム１０の構成の概略を示す構成図である。本実施形態の燃料電池システム１０は、図１に示すように、水素を含む燃料ガスと酸素を含む酸化剤ガス（エア）との供給を受けて発電する燃料電池スタック３６を有する発電ユニット２０と、発電ユニット２０の発電に伴って発生する熱を回収して給湯する貯湯タンク１０１を有する給湯ユニット１００と、システム全体を制御する制御装置８０と、を備える。
【００１６】
発電ユニット２０は、改質水を蒸発させて水蒸気を生成すると共に原燃料ガス（例えば天然ガスやＬＰガス）を予熱する気化器３２と、原燃料ガスと水蒸気とから水素を含む燃料ガス（改質ガス）を生成する改質器３３と、燃料ガスとエアとにより発電する燃料電池スタック３６とを含む発電モジュール３０と、気化器３２に原燃料ガスを供給する原燃料ガス供給装置４０と、燃料電池スタック３６にエアを供給するエア供給装置５０と、改質水タンク５７内の改質水を気化器３２に供給する改質水供給装置５５と、発電モジュール３０で発生した排熱を回収する排熱回収装置６０と、を備える。
【００１７】
筐体２２には、吸気口２２ａと排気口２２ｂとが設けられている。吸気口２２ａ付近には外気を取り込んで筐体２２の内部を換気するための換気ファン２４が設けられ、排気口２２ｂ付近には、可燃ガスの漏れを検出するための可燃ガスセンサ９３が設けられている。
【００１８】
改質器３３は、セラミックなどの担体に改質触媒（例えば、ＲｕまたはＮｉ系の触媒）が担持されて構成され、気化器３２から供給された原燃料ガスと水蒸気との混合ガスを水蒸気改質反応によって燃料ガス（改質ガス）に改質する。
【００１９】
発電モジュール３０を構成する気化器３２、改質器３３および燃料電池スタック３６は、断熱性材料により形成された箱型のモジュールケース３１内に収容されている。モジュールケース３１内には、燃料電池スタック３６の起動や、気化器３２における水蒸気の生成、改質器３３における水蒸気改質反応に必要な熱を供給するための燃焼部３４が設けられている。燃焼部３４には燃料電池スタック３６を通過した燃料オフガス（アノードオフガス）と酸化剤オフガス（カソードオフガス）とが供給され、これらの混合ガスを点火ヒータ３５により点火して燃焼させることにより、燃料電池スタック３６や気化器３２、改質器３３を加熱する。燃料オフガスおよび酸化剤オフガスの燃焼により生成される燃焼排ガスは、燃焼触媒３７を介して熱交換器６２へ供給される。燃焼触媒３７は、燃焼部３４で燃え残った燃料ガスを触媒によって再燃焼させる酸化触媒である。
【００２０】
排熱回収装置６０は、熱交換器６２と貯湯水を貯蔵する貯湯タンク１０１とを接続して貯湯水の循環路を形成する循環配管６１を有する。循環配管６１には、循環ポンプ６３が設けられており、循環ポンプ６３を駆動して貯湯水を循環させることにより、熱交換器６２にて燃焼排ガスとの熱交換により貯湯水を加温すると共に加温した貯湯水を貯湯タンク１０１へ貯湯する。熱交換器６２は、凝縮水供給管６６を介して改質水タンク５７に接続されると共に排気ガス排出管６７を介して外気と接続されている。熱交換器６２に供給された燃焼排ガスは、貯湯水との熱交換によって冷却されて水蒸気成分が凝縮され、凝縮水供給管６６を介して改質水タンク５７に回収される。凝縮水供給管６６には水精製器６８が設けられており、燃焼排気ガスの凝縮水は、水精製器６８によって不純物が除去されてから改質水タンク５７へ供給される。また、残りの排気ガスは、排気ガス排出管６７を介して外気へ排出される。
【００２１】
原燃料ガス供給装置４０は、ガス供給源１と気化器３２とを接続する原燃料ガス供給管４１を有する。原燃料ガス供給管４１には、ガス供給源１側から順に、原燃料ガス供給弁４２，４３（２連弁）、オリフィス４４、原燃料ガスポンプ４５、脱硫器４６が設けられており、原燃料ガス供給弁４２，４３を開弁した状態で原燃料ガスポンプ４５を駆動することにより、ガス供給源１からの原燃料ガスを脱硫器４６を通過させて気化器３２へ供給する。気化器３２へ供給された原燃料ガスは、気化器３２を経て改質器３３へ供給され、燃料ガスへと改質される。脱硫器４６は、原燃料ガスに含まれる硫黄分を除去するものであり、例えば、硫黄化合物をゼオライトなどの吸着剤に吸着させて除去する常温脱硫方式などを採用することができる。また、原燃料ガス供給管４１の原燃料ガス供給弁４３とオリフィス４４との間には、当該原料ガス供給管４１内の原燃料ガスの圧力を検出する圧力センサ４７が設けられ、オリフィス４４と原燃料ガスポンプ４５との間には、原料ガス供給管４１を流れる原燃料ガスの単位時間当たりの流量（ガス流量Ｑｇ）を検出する流量センサ４８が設けられている。
【００２２】
エア供給装置５０は、外気と連通するフィルタ５２と燃料電池スタック３６とを接続するエア供給管５１を有する。エア供給管５１には、エアブロワ５３が設けられており、エアブロワ５３を駆動することにより、フィルタ５２を介して吸入したエアを燃料電池スタック３６へ供給する。また、エア供給管５１には、エアブロワ５３の下流側に、当該エア供給管５１を流れるエアの単位時間当たりの流量（エア流量Ｑａ）を検出する流量センサ５４が設けられている。
【００２３】
改質水供給装置５５は、改質水を貯蔵する改質水タンク５７と気化器３２とを接続する改質水供給管５６を有する。改質水供給管５６には、改質水ポンプ５８が設けられており、改質ポンプ５８を駆動することにより、改質水タンク５７の改質水を気化器３２へ供給する。気化器３２へ供給された改質水は、気化器３２で水蒸気とされ、改質器３３における水蒸気改質反応に利用される。
【００２４】
燃料電池スタック３６は、酸素イオン伝導体からなる固体電解質と、固体電解質の一方の面に設けられたアノードと、固体電解質の他方の面に設けられたカソードとを備える固体酸化物燃料電池セルが積層されたものとして構成されており、アノードに供給される燃料ガス中の水素とカソードに供給されるエア中の酸素とによる電気化学反応によって発電する。燃料電池スタック３６の出力端子にはＤＣ／ＤＣコンバータとインバータとを含むパワーコンディショナ７１を介して商用電源２から負荷４への電力ライン３が接続されており、燃料電池スタック３６からの直流電力は、パワーコンディショナ７１による電圧変換および直流／交流変換を経て商用電源２からの交流電力に付加されて負荷４に供給される。燃料電池スタック３６の出力端子に接続された電力ラインには、当該燃料電池スタック３６の出力電流（スタック電流Ｉ）を検出する電流センサ９１が設けられ、燃料電池スタック３６の出力端子間には、当該燃料電池スタック３６の端子間電圧（スタック電圧Ｖ）を検出する電圧センサ９２が設けられている。
【００２５】
また、パワーコンディショナ７１から分岐した電力ラインには電源基板７２が接続されている。電源基板７２は、原燃料ガス供給弁４２，４３や原燃料ガスポンプ４５、エアブロワ５３、改質水ポンプ５８、循環ポンプ６３、圧力センサ４７、流量センサ４８，５４、表示パネル９０、電流センサ９１、電圧センサ９２、可燃ガスセンサ９３などの補機類に直流電力を供給する直流電源として機能する。
【００２６】
制御装置８０は、ＣＰＵ８１を中心としたマイクロプロセッサとして構成されており、ＣＰＵ８１の他に処理プログラムを記憶するＲＯＭ８２と、データを一時的に記憶するＲＡＭ８３と、書き換え可能な不揮発性メモリとしてのフラッシュメモリ８４と、図示しない入出力ポートと、を備える。制御装置８０には、圧力センサ４７や流量センサ４８，５４、電流センサ９１、電圧センサ９２、可燃ガスセンサ９３などからの各種検出信号が入力ポートを介して入力されている。また、制御装置８０からは、換気ファン２４のファンモータへの駆動信号や原燃料ガス供給弁４２，４３のソレノイドへの駆動信号、原燃料ガスポンプ４５のポンプモータへの駆動信号、エアブロワ５３のブロワモータへの駆動信号、改質水ポンプ５８のポンプモータへの駆動信号、循環ポンプ６３のポンプモータへの駆動信号、パワーコンディショナ７１のインバータやＤＣ／ＤＣコンバータへの制御信号、点火ヒータ３５への駆動信号、各種情報を表示する表示パネル９０への表示信号などが出力ポートを介して出力されている。
【００２７】
次に、こうして構成された燃料電池システム１０の動作、即ちシステム起動、発電およびシステム停止の各動作について説明する。
【００２８】
システム起動は、対応する補機類を順次制御し、脱硫器４６に燃料成分を吸着させて混合ガスの空燃比ずれを抑制する燃料吸着処理や、燃焼部３４のパージ処理、燃焼部３４におけるオフガスの着火処理、水蒸気改質処理などを順次実行することにより行なわれる。
【００２９】
発電は、システムに要求される要求電力により発電するよう原燃料ガス供給装置４０とエア供給装置５０と改質水供給装置５５とを制御することにより行なわれる。具体的には、制御装置８０のＣＰＵ８１は、まず、上記要求電力と燃料電池スタック３６の発電電力との偏差に基づいてフィードバック制御により燃料電池スタック３６が出力すべき出力電流である電流指令Ｉ＊を設定する。なお、燃料電池スタック３６の発電電力は、電流センサ９１により検出されるスタック電流Ｉと電圧センサ９２により検出されるスタック電圧Ｖとの積により計算することができる。続いて、設定した電流指令Ｉ＊に基づいて目標ガス流量Ｑｇ＊、目標エア流量Ｑａ＊および目標水量Ｑｗ＊を設定する。そして、目標ガス流量Ｑｇ＊で原燃料ガス供給装置４０から原燃料ガスが供給されるよう原燃料ガスポンプ４５を制御し（原燃料ガス供給制御）、目標エア流量Ｑａ＊でエア供給装置５０からエアが供給されるようエアブロワ５３を制御し（エア供給制御）、目標水量Ｑｗ＊で改質水供給装置５５から改質水が供給されるよう改質水ポンプ５８を制御する（改質水供給制御）。原燃料ガス供給制御は、目標ガス流量Ｑｇ＊と流量センサ４８により検出されるガス流量Ｑｇとの偏差に基づくフィードバック制御によりデューティ比を設定し、設定したデューティ比に基づいて原燃料ガスポンプ４５のポンプモータを制御することにより行なわれる。エア供給制御は、目標エア流量Ｑａ＊と流量センサ５４により検出されるエア流量Ｑａとの偏差に基づくフィードバック制御によりデューティ比を設定し、設定したデューティ比に基づいてエアブロワ５３のブロワモータを制御することにより行なわれる。改質水供給制御は、目標水量Ｑｗ＊に基づいてデューティ比を設定し、設定したデューティ比に基づいて改質水ポンプ５８のポンプモータを制御することにより行なわれる。
【００３０】
システム停止は、原燃料ガスの流量（ガス流量Ｑｇ）を徐減させる原燃料ガス徐減処理と、燃料電池スタック３６の温度が所定温度未満となるまで燃料電池スタック３６にエアを供給して冷却する冷却処理と、を実行することにより行なわれる。
【００３１】
次に、燃料電池システム１０の寿命を判定する動作について説明する。図２は、制御装置８０のＣＰＵ８１により実行される寿命判定ルーチンの一例を示すフローチャートである。このルーチンは、所定時間毎に繰り返し実行される。
【００３２】
寿命判定ルーチンが実行されると、制御装置８０のＣＰＵ８１は、まず、スタック電流Ｉを積算するスタック電流積算処理を行なう（Ｓ１００）。スタック電流積算処理は、図３に例示するスタック電流積算処理により行なうことができる。図３のスタック電流積算処理では、ＣＰＵ８１は、まず、発電中であるか否か（Ｓ２００）、システム起動中であるか否か、システム停止中であるか否か（Ｓ２１０）、をそれぞれ判定する。発電中、システム起動中およびシステム停止中のいずれでもないと判定すると、そのままスタック電流積算処理を終了する。一方、発電中であると判定すると、電流センサ９１からのスタック電流Ｉを入力し（Ｓ２２０）、入力したスタック電流Ｉを積算してスタック電流累積値ΣＩを算出し、フラッシュメモリ８４に記憶して（Ｓ２３０）、スタック電流積算処理を終了する。システム起動中かシステム停止中のいずれかであると判定すると、流量センサ４７からのガス流量Ｑを入力し（Ｓ２４０）、入力したガス流量Ｑｇをスタック電流Ｉに換算する（Ｓ２５０）。ここで、ガス流量Ｑｇのスタック電流Ｉへの換算は、ガス流量Ｑｇとスタック電流Ｉの換算値との関係を予め求めて換算用マップとしてＲＯＭ８２に記憶しておき、ガス流量Ｑｇが与えられると、マップから対応するスタック電流Ｉの換算値を導出することにより行なうものとした。図４に換算用マップを示す。なお、ガス流量Ｑｇのスタック電流Ｉへの換算は、図４の換算用マップを用いて行なうものとしたが、換算係数を用いて演算により行なうものとしてもよい。スタック電流Ｉに換算すると、換算したスタック電流Ｉを積算してスタック電流累積値ΣＩを算出し、フラッシュメモリ８４に記憶して（Ｓ２６０）、スタック電流積算処理を終了する。
【００３３】
ＣＰＵ８１は、こうしてスタック電流累積値ΣＩを算出すると、算出したスタック電流累積値ΣＩが閾値Ｉｒｅｆ以上であるか否かを判定する（Ｓ１１０）。ここで、閾値Ｉｒｅｆは、燃料電池システム１０の寿命を判定するための閾値であり、燃料電池システム１０の仕様に基づいて予め定められる。閾値Ｉｒｅｆは、例えば、脱硫器４６が燃料電池システム１０の寿命の律速である場合、脱硫器４６の仕様に基づいて定めることができ、水精製器６８が燃料電池システム１０の寿命の律速である場合、水精製器６８の仕様に基づいて定めることができる。スタック電流累積値ΣＩが閾値Ｉｒｅｆ未満であると判定すると、燃料電池システム１０の寿命は到来していないと判断して、寿命判定ルーチンを終了する。一方、スタック電流累積値ΣＩが閾値Ｉｒｅｆ以上であると判定すると、燃料電池システム１０の停止させると共に（Ｓ１２０）、燃料電池システム１０の寿命が到来した旨とシステムの交換やメンテナンスが必要である旨とを表示パネル９０に表示させて（Ｓ１３０）、寿命判定ルーチンを終了する。
【００３４】
以上説明した実施形態の燃料電池システム１０は、燃料電池スタック３６が要求電力により発電するよう燃料電池スタック３６の電流指令Ｉ＊を設定し、設定した電流指令Ｉ＊に基づいて原燃料ガス供給装置４０と改質水供給装置５５とを制御するものにおいて、スタック電流Ｉを積算してスタック電流累積値ΣＩを算出し、スタック電流累積値ΣＩが閾値Ｉｒｅｆ以上となると、システムに寿命が到来したと判断して、システムを停止する。これにより、原燃料ガスの流量や改質水の流量によって劣化速度が変化するシステムにおいて、寿命判定を適切に行なうことができる。また、燃料電池システム１０の経年使用により燃料電池スタック３６が要求電力で発電するのに必要なスタック電流が変化するものとしても、その電流変化を寿命判定に反映させることができ、寿命判定の精度を高めることができる。
【００３５】
また、実施形態の燃料電池システム１０は、システム起動中やシステム停止中に供給した原燃料ガスの流量（ガス流量Ｑｇ）をスタック電流Ｉに換算し、換算したスタック電流Ｉを積算してスタック電流累積値ΣＩを算出するから、寿命判定の精度をさらに高めることができる。
【００３６】
上述した実施形態では、電流センサ９１により検出された燃料電池スタック３６の出力電流（スタック電流Ｉ）を積算してスタック電流累積値ΣＩを算出し、算出したスタック電流積算値ΣＩに基づいてシステムの寿命を判定するものとしたが、燃料電池スタック３６の電流指令Ｉ＊を積算してスタック電流累積値ΣＩを算出してもよい。
【００３７】
上述した実施形態では、燃料電池システム１０の寿命判定に、システム起動中およびシステム停止中の動作も考慮に入れるものとしたが、システム起動中およびシステム停止中のいずれか一方または両方の動作を考慮に入れないものとしてもよい。
【００３８】
上述した実施形態では、スタック電流累積値ΣＩが閾値Ｉｒｅｆ以上となると、システムを停止するものとしたが、システムの運転を継続するものとし、一旦システムが停止された以降は次回起動させないようにしてもよい。
【００３９】
上述した実施形態では、燃料電池システム１０の燃料電池として、固体酸化物形燃料電池を用いるものとしたが、例えば固体高分子形燃料電池など、如何なるタイプの燃料電池を用いてもよい。なお、上述したシステム起動中やシステム停止中に供給した原燃料ガスの流量をスタック電流Ｉに換算してスタック電流累積値ΣＩを算出し、システムの寿命を判定する手法は、例えば、固体高分子形燃料電池を備える電動車両のように、システム起動およびシステム停止が頻繁に行なわれる燃料電池システムにおいて特に有効なものとなる。
【００４０】
実施形態の主要な要素と課題を解決するための手段の欄に記載した発明の主要な要素との対応関係について説明する。実施形態では、燃料電池スタック３６が燃料電池に相当し、改質器３３が改質部に相当し、原燃料ガス供給装置４０が原燃料ガス供給装置に相当し、改質水供給装置５５が改質水供給装置に相当し、制御装置８０が制御装置に相当する。また、脱硫器４６が脱硫器に相当する。また、改質水タンク５７が水タンクに相当し、燃焼部３４が燃焼部に相当し、凝縮水配管６６が凝縮水流路に相当し、水精製機６８が水精製機に相当する。
【００４１】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００４２】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００４３】
本発明は、燃料電池システムの製造産業などに利用可能である。
【符号の説明】
【００４４】
１  ガス供給源、２  商用電源、３  電力ライン、４  負荷、１０  燃料電池システム、２０  発電ユニット、２２  筐体、２２ａ  吸気口、２２ｂ  排気口、２４  換気ファン、３０  発電モジュール、３１  モジュールケース、３２  気化器、３３  改質器、３４  燃焼部、３５  点火ヒータ、３６  燃料電池スタック、３７  燃焼触媒、４０  原燃料ガス供給装置、４１  原燃料ガス供給管、４２，４３  原燃料ガス供給弁、４４  オリフィス、４５  原燃料ガスポンプ、４６  脱硫器、４７  圧力センサ、４８  流量センサ、５０  エア供給装置、５１  エア供給管、５２  フィルタ、５３  エアブロワ、５４  流量センサ、５５  改質水供給装置、５６  改質水供給管、５７  改質水タンク、５８  改質水ポンプ、５９  流量センサ、６０  排熱回収装置、６１  循環配管、６２  熱交換器、６３  循環ポンプ、６６  凝縮水供給管、６７  排気ガス排出管、６８  水精製器、７１  パワーコンディショナ、７２  電源基板、８０  制御装置、８１  ＣＰＵ、８２  ＲＯＭ、８３  ＲＡＭ、８４  フラッシュメモリ、８５  タイマ、９０  表示パネル、９１  電流センサ、９２  電圧センサ、９３  可燃ガスセンサ、１００  給湯ユニット、１０１  貯湯タンク。
【図１】
2019029246.tif 000003
【図２】
2019029246.tif 000004
【図３】
2019029246.tif 000005
【図４】
2019029246.tif 000006